(57)【要約】【課題】  未使用時にコンセントを隠すことが可能な情報コンセントを提供する。【解決手段】  壁に埋め込まれるコンセント裏ボックス２と、開口部２０を有してコンセント裏ボックス２の前面に取り付けられるコンセント用プレート３と、これらの間に設けられ開口部２０を介してコンセント有り無しの面、すなわち電源コンセントを有する面２９、通信・映像系コンセントを有する面３０、コンセント無しの面３１を選択することが可能な回動自在のコンセント本体４と、を備えて情報コンセント１を構成する。コンセント本体４には、隔壁となる第一絶縁セパレータ２１等を設ける。【選択図】    図１
2005294113.tif 000002
【特許請求の範囲】
【請求項１】
壁に埋め込まれるコンセント裏ボックスと、開口部を有して前記コンセント裏ボックスの前面に取り付けられるコンセント用プレートと、これらの間に設けられ前記開口部を介してコンセント有り無しの面を選択することが可能な回動自在のコンセント本体と、を備えて構成する
ことを特徴とする情報コンセント。
【請求項２】
請求項１に記載の情報コンセントにおいて、
前記コンセント有りの面は、電源コンセントを有する面と通信系コンセントを有する面とで構成する
ことを特徴とする情報コンセント。
【請求項３】
請求項２に記載の情報コンセントにおいて、
前記電源コンセントを有する面と前記通信系コンセントを有する面との間に、これらの隔壁となる絶縁セパレータを設ける
ことを特徴とする情報コンセント。
【請求項４】
請求項２又は請求項３に記載の情報コンセントにおいて、
前記電源コンセントを有する面に露出する電源コンセント及び／又は前記通信系コンセントを有する面に露出する通信系コンセントを交換自在に構成する
ことを特徴とする情報コンセント。
【請求項５】
請求項２ないし請求項４いずれか記載の情報コンセントにおいて、
前記通信系コンセントに映像系テレビターミナル及び／又はＡＶ信号用コンセントを並べて設ける
ことを特徴とする情報コンセント。
【発明の詳細な説明】
【技術分野】
【０００１】
本発明は、オフィスや住宅等の壁に設置される情報コンセントに関する。
【背景技術】
【０００２】
近年、オフィスや一般家庭において、各種の情報機器（家電機器も含む）が普及している。その情報機器には、オフィスや一般家庭に設置された情報コンセントと呼ばれるコンセントを介して、電源は勿論のこと、文字や音声や映像等の各種データも伝送されるようになっている（例えば特許文献１参照）。
【特許文献１】特開２０００−１４７２６７号公報  （第３頁、第３図）
【発明の開示】
【発明が解決しようとする課題】
【０００３】
ところで、上記従来技術にあっては、電源コンセントを有する面と通信系コンセントを有する面とが常に露出する格好になっていることから、保護や見栄えに対する十分な対策がなされていないという問題点を有している。また、室内の内装工事が終わり情報コンセントが設置された後には、電源コンセントや通信系コンセントの構成を変更することが困難であるという問題点を有している。
【０００４】
本発明は、上述した事情に鑑みてなされるもので、未使用時にコンセントを隠すことが可能な情報コンセントを提供することを課題とする。また、設置後においてもコンセントの構成変更が可能な情報コンセントを提供することを課題とする。
【課題を解決するための手段】
【０００５】
上記課題を解決するためなされた請求項１記載の本発明の情報コンセントは、壁に埋め込まれるコンセント裏ボックスと、開口部を有して前記コンセント裏ボックスの前面に取り付けられるコンセント用プレートと、これらの間に設けられ前記開口部を介してコンセント有り無しの面を選択することが可能な回動自在のコンセント本体と、を備えて構成することを特徴としている。
【０００６】
請求項２記載の本発明の情報コンセントは、請求項１に記載の情報コンセントにおいて、前記コンセント有りの面は、電源コンセントを有する面と通信系コンセントを有する面とで構成することを特徴としている。
【０００７】
請求項３記載の本発明の情報コンセントは、請求項２に記載の情報コンセントにおいて、前記電源コンセントを有する面と前記通信系コンセントを有する面との間に、これらの隔壁となる絶縁セパレータを設けることを特徴としている。
【０００８】
請求項４記載の本発明の情報コンセントは、請求項２又は請求項３に記載の情報コンセントにおいて、前記電源コンセントを有する面に露出する電源コンセント及び／又は前記通信系コンセントを有する面に露出する通信系コンセントを交換自在に構成することを特徴としている。
【０００９】
請求項５記載の本発明の情報コンセントは、請求項２ないし請求項４いずれか記載の情報コンセントにおいて、前記通信系コンセントに映像系テレビターミナル及び／又はＡＶ信号用コンセントを並べて設けることを特徴としている。
【００１０】
本発明によれば、コンセント本体を回動させてコンセント無しの面を選択すると、コンセントが内部に隠れてコンセントの使用が不能な状態になる。一方、コンセント本体を回動させてコンセント有りの面を選択すると、コンセント用プレートの開口部を介してコンセントが露出し、使用可能な状態になる。
【発明の効果】
【００１１】
請求項１に記載された本発明によれば、未使用時にコンセントを隠すことができるという効果を奏する。また、請求項２に記載された本発明によれば、電源コンセントと通信系コンセントのいずれかを選択することができるという効果を奏する。すなわち、必要なコンセントを開口部を介して露出させることができるという効果を奏する。また、請求項３に記載された本発明によれば、電源コンセントと通信系コンセントとの絶縁性を高めることができるという効果を奏する。また、請求項４に記載された本発明によれば、設置後においてもコンセントの構成を変更することができるという効果を奏する。また、請求項５に記載された本発明によれば、通信系コンセントと共に映像系テレビターミナル及び／又はＡＶ信号用コンセントも使用することができるという効果を奏する。
【発明を実施するための最良の形態】
【００１２】
以下、図面を参照しながら説明する。
図１は本発明の情報コンセントの一実施の形態を示す分解斜視図である。また、図２はコンセント本体の斜視図である。
【００１３】
図１及び図２において、引用符号１はオフィスや住宅等の壁に設置される本発明の情報コンセントを示している。その本発明の情報コンセント１は、上記壁に埋め込まれるコンセント裏ボックス２と、コンセント裏ボックス２の前面に取り付けられるコンセント用プレート３と、これらの間に設けられる回動自在のコンセント本体４とを備えて構成されている。
【００１４】
また、上記コンセント本体４は、コンセント用取付ボックス５と、そのコンセント用取付ボックス５に取り付けられる電源コンセント６及びコンセント用取付枠７と、同じくコンセント用取付ボックス５に取り付けられる通信・映像系コンセント８及びコンセント用取付枠９と、これらに跨って装着されるコンセント用取付ボックス内カバー１０と、上記コンセント裏ボックス２に対して回動自在に取り付けるための保持部材１１、１１とを備えて構成されている。以下、上記各構成部材について説明する。
【００１５】
上記コンセント裏ボックス２は、一対の側壁１２、１２と、上壁１３及び下壁１４と、奥壁１５とを有するとともに、その前面が開口する略箱形状の部材として形成されている。また、コンセント裏ボックス２は、上述の如く、図示しない上記オフィスや住宅等の壁に形成された凹部に対して埋め込まれるような状態で固定されるようになっている。
【００１６】
コンセント裏ボックス２の前面開口部分には、固定用のフランジ１６、１６が形成されている。側壁１２、１２の内側には、上下方向にのびるストッパ１７、１７（一方のみ図示）が形成されている。ストッパ１７、１７は、コンセント本体４の回動を規制するために、すなわちコンセント本体４が回動し過ぎないようにするために形成されている。
【００１７】
上壁１３及び下壁１４には、上記前面開口部分からＵ字状に切り欠かれる回動軸挿入部１８、１８が形成されている。回動軸挿入部１８、１８には、コンセント本体４の後述する回動軸部２５、２５が差し込まれるようになっている。回動軸挿入部１８、１８の縁部には、半円弧形状の保持部１９、１９が形成されている。保持部１９、１９には、コンセント本体４を回動自在に取り付けるための保持部材１１、１１が固定されるようになっている。
【００１８】
上記コンセント用プレート３は、上記壁の表面、具体的には壁紙の表面に露出する板状部材であって、上下方向が長辺となる長方形状の開口部２０を有している。コンセント用プレート３は、コンセント裏ボックス２の上記前面開口部分に対し、通常の固定方法を用いて固定されるように形成されている。
【００１９】
上記コンセント用取付ボックス５は、第一絶縁セパレータ２１及び第二絶縁セパレータ２２と、上部絶縁セパレータ２３及び下部絶縁セパレータ２４と、回動軸部２５、２５とを備えて構成されている。第一絶縁セパレータ２１及び第二絶縁セパレータ２２と、上部絶縁セパレータ２３及び下部絶縁セパレータ２４は、絶縁性を高めるために備えられている（特に第一絶縁セパレータ２１による絶縁が重要）。
【００２０】
第一絶縁セパレータ２１は、本形態において、略背中合わせ状態に配置される電源コンセント６及び通信・映像系コンセント８の間に介在する部分であって、ここでは長方形状の板となるように形成されている。第二絶縁セパレータ２２は、電源コンセント６及び通信・映像系コンセント８の一方の側部に沿って配置される部分であって、ここでは長方形状の板となるように形成されている。また、第二絶縁セパレータ２２は、第一絶縁セパレータ２１の一方の長辺に対して一体であるとともに直交するように配置形成されている。
【００２１】
上部絶縁セパレータ２３及び下部絶縁セパレータ２４は、電源コンセント６及び通信・映像系コンセント８の上部及び下部に沿って配置される部分であって、ここでは正方形状の板となるように形成されている。また、上部絶縁セパレータ２３及び下部絶縁セパレータ２４は、第一絶縁セパレータ２１及び第二絶縁セパレータ２２の各短辺に対して一体であるとともに直交するように配置形成されている。
【００２２】
このような上部絶縁セパレータ２３及び下部絶縁セパレータ２４には、回動軸部２５、２５が一体に設けられている。また、上部絶縁セパレータ２３及び下部絶縁セパレータ２４には、電源コンセント６のコンセント用取付枠７及び通信・映像系コンセント８のコンセント用取付枠９に対する複数の固定部２６と、コンセント用取付ボックス内カバー１０に対する複数の固定部２７とが設けられている。
【００２３】
回動軸部２５、２５は、上述の如く、回動軸挿入部１８、１８に差し込まれる部分であって、環状（短い円筒形状）に形成されている。回動軸部２５、２５の外周には、上下方向の溝２８が複数形成されている。溝２８は、保持部材１１、１１の後述するラッチ３４、３４を引っ掛けるために形成されている（コンセント本体４が勝手に回動しないようにする）。
【００２４】
尚、上部絶縁セパレータ２３及び下部絶縁セパレータ２４の形状は、上述の如く、正方形状であるので、第一絶縁セパレータ２１の他方の長辺が突出するようになる。しかしながら、その他方の長辺は、コンセント裏ボックス２のストッパ１７、１７に対して引っ掛かる部分として設定されている（コンセント本体４が回動し過ぎないようにする）。
【００２５】
上記電源コンセント６及び上記コンセント用取付枠７は、電源をとるための部分であって、これらは市販品で構成されている。また、上記通信・映像系コンセント８及び上記コンセント用取付枠９は、モジュラージャックやテレビターミナルで構成される部分であって、これらも市販品で構成されている。電源コンセント６及び通信・映像系コンセント８は、第一絶縁セパレータ２１を挟んで略背中合わせ状態に取り付けられるようになっている。尚、本形態においては、コンセント用取付枠７、９を取り外すことにより、電源コンセント６、通信・映像系コンセント８の構成を変更することが可能になっている。
【００２６】
上記コンセント用取付ボックス内カバー１０は、電源コンセントを有する面２９と、通信・映像系コンセントを有する面３０と、例えば配置がこれらの間になるコンセント無しの面３１と、上部絶縁セパレータ２３及び下部絶縁セパレータ２４の複数の固定部２７に固定されるフランジ状の固定部３２、３２（一方のみ図示）とを有している。上記各面２９〜３１は、コ字状に配置されており、これらの縁部に跨って固定部３２、３２が連成されている。電源コンセントを有する面２９及び通信・映像系コンセントを有する面３０には、それぞれ開口部３３、３３が形成されている。
【００２７】
尚、固定部３２、３２を介してコンセント用取付ボックス内カバー１０への固定がなされると、開口部３３、３３からは、電源コンセント６や通信・映像系コンセント８の要部が露出するようになっている。
【００２８】
上記保持部材１１、１１は、略半円弧形状の帯板であって、回動軸部２５、２５を回動自在の状態で挟み込みながら保持部１９、１９に対して例えばネジ止め等で固定されるように形成されている。保持部材１１、１１の中間には、回動軸部２５、２５の溝２８に引っ掛かるラッチ３４、３４が形成されている。
【００２９】
上記構成において、本発明の情報コンセント１は、例えば以下のような手順で組み立てられる。先ず、コンセント用取付ボックス５に、電源コンセント６及びコンセント用取付枠７と、通信・映像系コンセント８及びコンセント用取付枠９とをネジ止め等で取り付ける。次に、コンセント用取付ボックス内カバー１０をネジ止め等で取り付ける。この時、電源コンセントを有する面２９の開口部３３からは、電源コンセント６の要部が露出する。また、通信・映像系コンセントを有する面３０の開口部３３からは、通信・映像系コンセント８の要部が露出する。
【００３０】
続いて、ここまで組み立てたものを保持部材１１、１１を用いて、上記壁に固定されたコンセント裏ボックス２に取り付ける。この時、回動軸部２５、２５は、回動軸挿入部１８、１８に差し込まれる。そして、その後、保持部材１１、１１と保持部１９、１９との固定が完了すると、回動軸部２５、２５は、回動自在の状態で支持される。最後に、コンセント本体４を取り付けた状態のコンセント裏ボックス２の前面にコンセント用プレート３を取り付けると、一連の組立が完了する。
【００３１】
本発明の情報コンセント１の作用としては、コンセント用プレート３の開口部２０を介してコンセント用取付ボックス内カバー１０を押すことにより、ラッチ３４、３４の係止状態が解除可能になり、左右いずれかの方向に力を加えるとコンセント本体４がその方向に回動する。コンセント使用の場合には、コンセント本体４を回動させて電源コンセントを有する面２９や通信・映像系コンセントを有する面３０を選択する。一方、コンセントを使用しない場合には、コンセント無しの面３１のを選択する。
【００３２】
以上、図１及び図２を参照しながら説明してきたように、本発明の情報コンセント１は、コンセント本体４を回動させてコンセント無しの面３１を選択すると、コンセントが内部に隠れてコンセントの使用を不能な状態にすることができる。一方、コンセント本体４を回動させてコンセント有りの面（電源コンセントを有する面２９や通信・映像系コンセントを有する面３０）を選択すると、コンセント用プレート３の開口部２０を介してコンセントが露出（電源コンセント６の要部や通信・映像系コンセント８の要部が露出）し、使用可能な状態にすることができる。
【００３３】
その他、本発明は本発明の主旨を変えない範囲で種々変更実施可能なことは勿論である。
【図面の簡単な説明】
【００３４】
【図１】本発明による情報コンセントの一実施の形態を示す分解斜視図である。
【図２】コンセント本体の斜視図である。
【符号の説明】
【００３５】
１  情報コンセント
２  コンセント裏ボックス
３  コンセント用プレート
４  コンセント本体
５  コンセント用取付ボックス
６  電源コンセント
７  コンセント用取付枠
８  通信・映像系コンセント
９  コンセント用取付枠
１０  コンセント用取付ボックス内カバー
１１  保持部材
１７  ストッパ
１８  回動軸挿入部
１９  保持部
２０  開口部
２１  第一絶縁セパレータ（絶縁セパレータ）
２５  回動軸部
２８  溝
２９  電源コンセントを有する面
３０  通信・映像系コンセントを有する面（通信系コンセントを有する面）
３１  コンセント無しの面
３４  ラッチ
【図１】
2005294113.tif 000003
【図２】
2005294113.tif 000004